(57)【要約】【課題】  スタンディングパウチを密に効率よく収納することができるとともに、収納されたスタンディングパウチが、輸送、その他取扱中移動することを防止することができるスタンディングパウチ用包装箱を得る。【解決手段】  四角形の箱本体１の内部に縦仕切板２を設けたスタンディングパウチ用包装箱であって、縦仕切板２を、縦方向に折線をもつ山折部９と、それに続く谷折部１０をもって構成するとともに、縦仕切板２の両端を箱本体１の対向する壁板３，４の板面３ａ，４ａに当接して設け、壁板３，４の板面３ａ，４ａと該板面３ａ，４ａに当接する縦仕切板２の山側の面２ａとの間の角度θ及び縦仕切板２の左右に存在する谷部１３の角度θを鋭角にするとともに、壁板３，４の板面３ａ，４ａと板面３ａ，４ａに当接する縦仕切板２の山側の面２ａとの間に形成される空間及び縦仕切板２の左右に存在する谷部１３に形成される空間をスタンディングパウチ支持空間部１４とした。【選択図】  図１
2009096512.tif 000002
【特許請求の範囲】
【請求項１】
四角形の箱本体の内部に縦仕切板を設けたスタンディングパウチ用包装箱であって、前記縦仕切板は、縦方向に折線をもつ山折部と、それに続く谷折部をもって構成されるとともに、前記縦仕切板の両端が前記箱本体の対向する壁板の板面に当接して設けられ、前記壁板の板面と該板面に当接する前記縦仕切板の山側の面との間の角度及び前記縦仕切板の左右に存在する谷部の角度が鋭角であるとともに、前記壁板の板面と該板面に当接する前記縦仕切板の山側の面との間に形成される空間及び前記縦仕切板の左右に存在する谷部に形成される空間がスタンディングパウチ支持空間部となることを特徴とするスタンディングパウチ用包装箱。
【請求項２】
前記壁板の板面と該板面に当接する前記縦仕切板の山側の面との間の角度及び前記縦仕切板の左右に存在する谷部の角度が概ね同じ角度であることを特徴とする請求項１に記載のスタンディングパウチ用包装箱。
【請求項３】
前記縦仕切板には、その両端に前記縦仕切板を壁板の板面に固定する固定板が連設されていることを特徴とする請求項１又は２に記載のスタンディングパウチ用包装箱。
【発明の詳細な説明】
【技術分野】
【０００１】
この発明は、スタンディングパウチ用包装箱に関する。
【背景技術】
【０００２】
近年、資源リサイクルの問題から、洗浄剤や化粧品などの内容物を充填する包装容器として、ガラス瓶、プラスチックボトル、金属缶などの保形容器に替えて、軽量であり且つ使用後は可燃ゴミとして焼却処分することができるスタンディングパウチが利用されている。
【０００３】
複数のスタンディングパウチを包装する包装箱として、一般に、段ボール等で形成された四角形の箱が用いられており、この箱へのスタンディングパウチの収納にあっては、箱本体の側壁板にスタンディングパウチの広幅面部が直交するように配置する状態で収納されていた。しかし、スタンディングパウチは、自立性を持たせるために、底部が四角或いは略楕円形状となっており、内容物を充填した状態では、胴部がその内容物により膨らんで略楕円形状となるため、箱本体に収納したスタンディングパウチは、隣り合うスタンディングパウチの広幅面部同士が当接し、狭幅面部の間に無駄な空隙が生じてしまい収納効率が悪いものとなっていた。
【０００４】
そこで、これを解決するものとして、スタンディングパウチの広幅面部を箱本体の側壁板に対し斜めに収納することで、スタンディングパウチを効率よく収納することができる包装箱が提案されている（特許文献１）。
【特許文献１】特開２０００−１８５７６７号公報
【発明の開示】
【発明が解決しようとする課題】
【０００５】
しかし、特許文献１で提案されている包装箱には、箱本体に収納したスタンディングパウチの移動を規制する手段が講じられていないため、輸送、その他取扱中に受ける振動や衝撃により、箱本体内で移動してしまうことがあり安定性に欠けるとの問題があった。特に、スタンディングパウチは、薄肉の合成樹脂フィルムという滑りやすい素材で形成されるため、箱本体内で移動し易く、移動により互いに擦れあうことでスタンディングパウチの表面に印刷されたラベルが剥げ落ちたりするなどの破損をおこし易い。
【０００６】
本発明の目的とするとするところは、スタンディングパウチを密に効率よく収納することができるとともに、収納されたスタンディングパウチが、輸送、その他取扱中に移動することを防止することができるスタンディングパウチ用包装箱を提供することにある。
【課題を解決するための手段】
【０００７】
上記目的を達成するために、請求項１に記載の発明は、四角形の箱本体の内部に縦仕切板を設けたスタンディングパウチ用包装箱であって、前記縦仕切板は、縦方向に折線をもつ山折部と、それに続く谷折部をもって構成されるとともに、前記縦仕切板の両端が前記箱本体の対向する壁板の板面に当接して設けられ、前記壁板の板面と該板面に当接する前記縦仕切板の山側の面との間の角度及び前記縦仕切板の左右に存在する谷部の角度が鋭角であるとともに、前記壁板の板面と該板面に当接する前記縦仕切板の山側の面との間に形成される空間及び前記縦仕切板の左右に存在する谷部に形成される空間がスタンディングパウチ支持空間部となることを特徴とする。
【０００８】
請求項２に記載の発明は、請求項１に記載の、前記壁板の板面と該板面に当接する前記縦仕切板の山側の面との間の角度及び前記縦仕切板の左右に存在する谷部の角度が概ね同じ角度であることを特徴とする。
【０００９】
請求項３に記載の発明は、請求項１又は２に記載の、前記縦仕切板には、その両端に前記縦仕切板を壁板の板面に固定する固定板が連設されていることを特徴とする。
【発明の効果】
【００１０】
請求項１に記載のスタンディングパウチ用包装箱によれば、四角形の箱本体の内部に設けた縦仕切板は、縦方向に折線をもつ山折部と、それに続く谷折部をもって構成されるとともに、前記縦仕切板の両端が前記箱本体の対向する壁板の板面に当接して設けられ、前記壁板の板面と該板面に当接する前記縦仕切板の山側の面との間の角度及び前記縦仕切板の左右に存在する谷部の角度が鋭角であるとともに、前記壁板の板面と該板面に当接する前記縦仕切板の山側の面との間に形成される空間及び前記縦仕切板の左右に存在する谷部に形成される空間がスタンディングパウチ支持空間部となるので、スタンディングパウチを前記箱本体に収納する際に、前記スタンディングパウチ支持空間部に前記スタンディングパウチの狭幅側を差し込むようにして収納することにより、前記各スタンディングパウチは前記箱本体の壁板に対して斜めになった状態で収納することができ、これにより、隣接する前記スタンディングパウチとの間に無駄な空隙が生じるのを防止できることから、前記箱本体に前記スタンディングパウチを密に効率よく収納することができる。
【００１１】
しかも前記スタンディングパウチ支持空間部を形成する前記壁板の板面と該板面に当接する前記縦仕切板の山側の面との間の角度及び前記縦仕切板の左右に存在する谷部の角度が鋭角であるので、前記スタンディングパウチ支持空間部に差し込まれた前記スタンディングパウチの狭幅側は、前記スタンディングパウチ支持空間部で挟まれるようにして支持されることになり、前記箱本体内における前記スタンディングパウチの移動が阻止されることから、輸送、その他取扱中に衝撃を受けても前記箱本体に収納されている前記スタンディングパウチの移動を防止することができる。
【００１２】
請求項２に記載のスタンディングパウチ用包装箱によれば、請求項１に記載の、前記壁板の板面と該板面に当接する前記縦仕切板の山側の面との間の角度及び前記縦仕切板の左右に存在する谷部の角度が概ね同じ角度であるので、前記スタンディングパウチ支持空間部に前記スタンディングパウチの狭幅側を差し込むようにして前記箱本体に収納された前記各スタンディングパウチは、それぞれ同じ方向を向くように規制されることになり、これにより、隣接する前記スタンディングパウチとの間に無駄な空隙が生じるのを効果的に防止でき、前記箱本体に前記スタンディングパウチをより一層密に効率よく収納することができるものとなる。
【００１３】
請求項３に記載のスタンディングパウチ用包装箱によれば、請求項１又は２に記載の、前記縦仕切板には、その両端に前記縦仕切板を壁板の板面に固定する固定板が連設されているので、前記縦仕切板は前記箱本体に確実に固定されることになり、これにより、前記箱本体内における前記スタンディングパウチの移動を一層確実に阻止することができるものとなる。
【発明を実施するための最良の形態】
【００１４】
以下、この発明に係るスタンディングパウチ用包装箱を実施するための最良の形態につて図面を参照して説明する。
【００１５】
まず、図１乃至図３は、この発明に係るスタンディングパウチ用包装箱の第１実施例を示したもので、図１は本発明の第１実施例のスタンディングパウチ用包装箱の上部を開いた状態を示す斜視図、図２は図１のスタンディングパウチ用包装箱を構成する縦仕切板を示す斜視図、図３は図１のスタンディングパウチ用包装箱にスタンディングパウチを収納した状態を示す平面図である。
【００１６】
本実施例のスタンディングパウチ用包装箱は、四角形の箱本体１と、この箱本体１の内部を縦方向に仕切る１枚の縦仕切板２とから構成されている。
【００１７】
箱本体１は、対向する４枚の壁板３，４，５，６で胴部が形成され、この胴部の底を封鎖する底板７と、前記胴部の上部を封鎖する蓋板８とで構成されている。箱本体１の材料としては、段ボールシートや厚紙などの板紙を使用することができるが、これに限定されるものではない。
【００１８】
縦仕切板２は、箱本体１の内部を縦方向に仕切る板であり、１枚の板状の部材で形成されている。この縦仕切板２には、縦方向に折線をもつ山折部９とそれに続く谷折部１０が設けられている。本実施例では、この縦仕切板２の横方向の一端部１１から、他端部１２にかけて、山折部９と、それに続く谷折部１０が１個ずつ設けられている。縦仕切板２の材料としては、箱本体１と同様に、段ボールシートや厚紙などの板紙を使用することができるが、これに限定されるものではない。
【００１９】
縦仕切板２は、この縦仕切板２の横方向の両端、即ち一端部１１と他端部１２とが、箱本体１の対向する壁板３，４（又は壁板５，６）の板面３ａ，４ａに当接して設けられている。本実施例では、一端部１１が壁板３の板面３ａの中間部位に当接し、他端部１２が壁板３と対向する壁板４の板面４ａの中間部位に当接している。
【００２０】
そして、壁板３，４の板面３ａ，４ａと該板面３ａ，４ａに当接する縦仕切板２の山側の面２ａとの間の角度θ及び縦仕切板２に設けられた山折部９と谷折部１０により、縦仕切板２の左右に存在する谷部１３の角度θがいずれも鋭角となっている。この角度θは特に限定されないが、６０度から８０度の範囲が好ましい。
【００２１】
本実施例では、壁板３，４の板面３ａ，４ａと該板面３ａ，４ａに当接する縦仕切板２の山側の面２ａとの間の角度θ及び縦仕切板２に設けられた山折部９と谷折部１０により、縦仕切板２の左右に存在する谷部１３の角度θは、概ね同じ角度となっている。
【００２２】
このようにして縦仕切板２で仕切られた箱本体１の内部にあって、壁板３，４の板面３ａ，４ａと該板面３ａ，４ａに当接する縦仕切板２の山側の面２ａとの間に形成される空間及び縦仕切板２の左右に存在する谷部１３に形成される空間がスタンディングパウチ支持空間部１４となっている。
【００２３】
このように構成したスタンディングパウチ用包装箱の箱本体１にスタンディングパウチ１５を収納する場合、壁板３，４の板面３ａ，４ａと該板面３ａ，４ａに当接する縦仕切板２の山側の面２ａとの間に形成される空間及び縦仕切板２の左右に存在する谷部１３に形成される空間がスタンディングパウチ支持空間部１４に、スタンディングパウチ１５の狭幅側を差し込むようにして収納する（図３参照）。
【００２４】
スタンディングパウチ支持空間部１４に狭幅側を差し込むようにして収納されたスタンディングパウチ１５は、壁板３，４の板面３ａ，４ａとの間で鋭角を成す縦仕切板２の山側の面２ａに規制され、箱本体１の壁板３，４，５，６に対して斜めになった状態で収納される。これにより、隣接するスタンディングパウチ１５との間に無駄な空隙が生じるのを防止でき、箱本体１にスタンディングパウチ１５を密に効率よく収納するものとなる。
【００２５】
本実施例では、壁板３，４の板面３ａ，４ａと該板面３ａ，４ａに当接する縦仕切板２の山側の面２ａとの間の角度θ及び縦仕切板２の左右に存在する谷部１３の角度θが概ね同じ角度となっているので、スタンディングパウチ支持空間部１４にスタンディングパウチ１５の狭幅側を差し込むようにして箱本体１に収納された各スタンディングパウチ１５は、それぞれ同じ方向を向くように規制されることになり、これにより、隣接するスタンディングパウチ１５との間に無駄な空隙が生じるのを効果的に防止でき、箱本体１にスタンディングパウチ１５をより一層密に効率よく収納することができる。
【００２６】
さらに、スタンディングパウチ支持空間部１４を形成する壁板３，４の板面３ａ，４ａと該板面３ａ，４ａに当接する縦仕切板２の山側の面２ａとの間の角度θ及び縦仕切板２の左右に存在する谷部１３の角度θがいずれも鋭角であるので、スタンディングパウチ支持空間部１４に差し込まれたスタンディングパウチ１５の狭幅側は、スタンディングパウチ支持空間部１４で挟まれるようにして支持されることになり、箱本体１内におけるスタンディングパウチ１５の移動が阻止されることになり、輸送、その他取扱中に衝撃を受けても箱本体１に収納されているスタンディングパウチ１５の移動が防止される。
【００２７】
本実施例では、前記の角度θが６０度から８０度となっており、この角度であるとスタンディングパウチ支持空間部１４にスタンディングパウチ１５の狭幅側を無理なく差し込めると共に、スタンディングパウチ１５の移動を阻止する圧力をもってスタンディングパウチ１５の狭幅側を挟みつけることができるものとなる。
【００２８】
なお、本実施例では、箱本体１の内部に縦仕切板２が１枚設けられている場合について説明したが、これに限定されるものではなく、例えば、縦仕切板２が２枚或いはそれ以上設けられていてもよい。この縦仕切板２の枚数は、箱本体１の大きさや、収納するスタンディングパウチ１５の数量に応じて設定される。また、縦仕切板２にあっては、山折部９とそれに続く谷折部１０が１個ずつ設けられているが、これに限定されるものではなく、山折部９とそれに続く谷折部１０が交互に複数設けられていてもよい。
【００２９】
図４は本発明の第２実施例のスタンディングパウチ用包装箱にスタンディングパウチを収納した状態を示す平面図である。なお、前述した第１実施例と対応する部分には、同一符号を付けて示している。
【００３０】
本実施例のスタンディングパウチ用包装箱は、箱本体１と、この箱本体２の内部を縦方向に仕切る縦仕切板２とから構成されている。本実施例では、この箱本体２の内部に２枚の縦仕切板２が設けられている。他の構成は第１実施例と同様なので、第１実施例の説明を援用する。また、効果の説明においても第１実施例と同様なので、第１実施例の効果の説明を援用する。
【００３１】
図５は本発明の第３実施例のスタンディングパウチ用包装箱にスタンディングパウチを収納した状態を示す平面図である。なお、前述した第１実施例と対応する部分には、同一符号を付けて示している。
【００３２】
本実施例のスタンディングパウチ用包装箱は、箱本体１と、この箱本体２の内部を縦方向に仕切る縦仕切板２とから構成されている。本実施例では、縦仕切板２にあっては、山折部９とそれに続く谷折部１０が２個ずつ設けられている。他の構成は第１実施例と同様なので、第１実施例の説明を援用する。また、効果の説明においても第１実施例と同様なので、第１実施例の効果の説明を援用する。
【００３３】
図６および図７はこの発明の第４実施例を示したもので、図６は本発明の第４実施例であるスタンディングパウチ用包装箱の上部を開いた状態を示す斜視図、図７は、図６のスタンディングパウチ用包装箱を構成する縦仕切板を示す斜視図である。なお、前述した第１実施例と対応する部分には、同一符号を付けて示している。
【００３４】
本実施例のスタンディングパウチ用包装箱は、箱本体１と、この箱本体２の内部を縦方向に仕切る縦仕切板２とから構成されている。本実施例では、縦仕切板２の両端、即ち一端部１１と他端部１２に前記縦仕切板２を前記壁板３，４の板面３ａ，４ａと該板面３ａ，４ａに固定する固定板１６が連設されている。
【００３５】
そして、縦仕切板２は、その横方向の両端に連設されている固定板１６の板面が、前記箱本体１の対向する壁板３，４（又は壁板５，６）の板面３ａ，４ａに当接して設けられている。当接する固定板１６と壁板３，４の板面３ａ，４ａとの固定状態にあっては、固定板１６の板面と壁板３，４の板面３ａ，４ａとの接圧による固定でもよく、また、固定板１６の開放端部を箱本体１のコーナーに当接させることによる固定でもよく、また固定板１６の板面と壁板３，４の板面３ａ，４ａとを接着剤等の固定手段により固定するようにしてもよい。本実施例では固定板１６の開放端部を箱本体１のコーナーに当接させることによる固定している（図６）。他の構成は第１実施例と同様なので、第１実施例の説明を援用する。
【００３６】
このように構成したスタンディングパウチ用包装箱によれば、縦仕切板２は箱本体１に安定した状態で固定され、箱本体１内における縦仕切板２自体の移動も防止されるので、スタンディングパウチ支持空間部１４に狭幅側を差し込むようにして箱本体１に収納されたスタンディングパウチ１５の箱本体１内における移動は一層確実に防止されるものとなる。その他の効果にあっては第１実施例と同様なので、第１実施例の効果の説明を援用する。
【図面の簡単な説明】
【００３７】
【図１】本発明の第１実施例のスタンディングパウチ用包装箱の上部を開いた状態を示す斜視図である。
【図２】図１のスタンディングパウチ用包装箱を構成する縦仕切板を示す斜視図である。
【図３】図１のスタンディングパウチ用包装箱にスタンディングパウチを収納した状態を示す平面図である。
【図４】本発明の第２実施例のスタンディングパウチ用包装箱にスタンディングパウチを収納した状態を示す平面図である。
【図５】本発明の第３実施例のスタンディングパウチ用包装箱にスタンディングパウチを収納した状態を示す平面図である。
【図６】本発明の第４実施例のスタンディングパウチ用包装箱の上部を開いた状態を示す斜視図である。
【図７】図６のスタンディングパウチ用包装箱を構成する縦仕切板を示す斜視図である。
【符号の説明】
【００３８】
１  箱本体
２  縦仕切板
２ａ  縦仕切板の山側の面
３，４，５，６  壁板
３ａ，４ａ  壁板の板面
７  底板
８  蓋板
９  山折部
１０  谷折部
１１  一端部
１２  他端部
１３  谷部
１４  スタンディングパウチ支持空間部
１５  スタンディングパウチ
１６  固定板
【図１】
2009096512.tif 000003
【図２】
2009096512.tif 000004
【図３】
2009096512.tif 000005
【図４】
2009096512.tif 000006
【図５】
2009096512.tif 000007
【図６】
2009096512.tif 000008
【図７】
2009096512.tif 000009